Podtech/llm-jp-corpus-v4-ja_patent huggingface dataset:
(57)【要約】      （修正有）【課題】人毛又は人工毛等の髪飾りと自分の髪の毛とを互いにキズつけることなく、第三者の介入なしで簡単且つ短時間内にガイドとチップを操作することで、チップ内に挿入した自毛の殆どをチップ内孔から下方に挿出して装着出来る為に仕上げが綺麗で外部から見た場合でも装着の事実が分かりづらく装飾効果は一段とアップすること。【解決手段】人毛又は人工毛を使用した毛を円形状の内孔のあるチップの下方全体に装着し、そのチップの下孔内中心からビニール状のガイドを上方に挿通させ上先端はリング状に、チップ下方元は小さなプラスチックの摘を付け自毛の一部をそのチップ上のガイド内に挿入し、ガイド元のプラスチック摘みを下方に引くことにより自毛をチップ内孔を通過下方に引かれ、人毛又は人口毛と混然一体になりガイドは摘みと共にチップから離脱しそのチップをニッパーを使用して完全固定させる髪飾り。【選択図】図１
0003118106.tif 000002
【実用新案登録請求の範囲】
【請求項１】
人毛又は人工毛を使用した毛を円形状の内孔のあるチップ内孔下方全体に装着しそのチップの下孔内中心からビニール状のガイドを上方に挿通させ上先端はリング状に、下方元は小さなプラスチックの摘みを付け自毛の一部をそのガイド内に挿入しガイド元の摘みを下方に引くことにより自毛はチップ内孔を通過し下方に引かれ人毛又は人口毛と混然一体になりガイドは摘みと共にチップから完全離脱する。さらにそのチップをニッパー等を使用して完全固定させる髪飾り。髪の毛を傷めることなく簡単に装着可能、しかも装飾性を一段と高めることが出来る。
使用後はチップに伸縮性があるためチップは復帰することができ又離脱したガイドも再使用できる。
【考案の詳細な説明】
【技術分野】
【０００１】本発明は髪にエクステンション又は装飾物を取付けるのに髪を傷めず短時間に自分で簡単装着が可能で且つ綺麗に仕上げることが出来る。
【背景技術】
【０００２】従来の方法は接着剤で髪を固定したり人毛と自毛を結ぶ等の方法にる為に時間を要し、装着時・開放時に自毛を傷めたりすることがあった。またチップを使用した方法によった場合においても自毛と人毛を簡単装着することに難があり装着状態にも不安定感があった。
【考案の開示】
【考案が解決しようとする課題】
【０００３】従来の方法は接着剤で髪を固定したり人毛と自毛を三つ編み結び等の方法による為に装着時、開放時に複雑で時間を要しまた自毛を傷めたりすることがあった。またチップを使用した方法によった場合においてもチップの中に自毛を挿入するのに捗り第三者の助力を必要とした。
【課題を解決するための手段】
【０００４】人毛又は人工毛を使用した毛を円形状の内孔のあるチップの下方全体に装着しそのチップの下孔内中心からビニール状のガイドを上方に挿通させ上先端はリング状に、チップ下方元は小さなプラスチックの摘みを付け自毛の一部をそのチップ上のガイド内に挿入しガイド元のプラスチック摘みを下方に引くことにより自毛をチップ内孔を通過下方に引かれ人毛又は人口毛と混然一体になりガイドは摘みと共にチップから離脱しそのチップをニッパを使用して完全固定させる簡単に取り付けることができる髪飾り方法。使用後においてはガイドに伸縮性がある為、ニッパーを使用してチップは原型に復帰することができ又離脱したガイドも再使用できるのでコストも節約できる。
【考案の効果】
【０００５】自分の髪の毛と人毛とを互いにキズつけることなく第三者の介入なしで簡単且つ短時間内にガイドに挿入した自毛の殆どをチップ内孔から下方に挿出して装着出来る為に仕上げが綺麗で外部から見た場合でも装着の事実が分かりづらく装飾効果は一段とアップする。
【考案を実施するための最良の形態】
【０００６】以下本発案の実施の形態を図１から図９に基づいて説明する。
【実施例】
【０００７】図１においてはリング状ガイドと摘み１は一体化しておりそれをチップ内２に挿入した状態で【０００８】図５において自毛をチップ内に挿入して通し込む。【０００９】図５においてガイドに通した自毛をガイド下部にある摘みを使い図６の如く下方に静かに引くことにより【００１０】図８のように自毛はチップ内孔を通り綺麗に人毛乃至人工毛と一体化し下方に引いたガイドと摘み３はチップと自毛から開放される。【００１１】チップ内に挿入された自毛を図９の如くニッパーを使用して押さえることにより４のように完全固定できる。
【産業上の利用可能性】
【００１２】本発明は髪に装飾物を取付けるのに髪を傷めず短時間に自分で簡単装着が可能で且つ綺麗に仕上げることが出来る為、第三者にその取付けを依頼する場合又は本人が自身で取付けする場合でも高度な知識を要せずに実行装着することが出来るのでその今まで抵抗感を払拭しその普及を若い方から所謂シルバー産業まで幅広くその需要が期待できる。
【図面の簡単な説明】
【００１３】
【図１】本発明の実施形態を示す装飾品及び取り付け具の全体図
【図２】チップから下の部分
【図３】〔図１〕の断面図
【図４】自毛を装飾品のガイド部内に挿通した図面
【図５】自毛をチップに挿入する瞬間の拡大図
【図６】自毛をチップに挿入して摘みを引いた瞬間の拡大図
【図７】上記方法により挿通した髪をガイド摘みを使いチップ内孔を通過しガイド全体がチップ部分から離脱した図
【図８】上記〔図７〕の拡大図
【図９】ガイドが抜けた直後にチップをニッパーで完全に押さえた図
【符号の説明】
【００１４】１本体ガイドと摘み
２チップ
３チップを中心にして下に引いたガイドと摘み
４ニッパーで押さえた後のチップ
【図１】
0003118106.tif 000003
【図２】
0003118106.tif 000004
【図３】
0003118106.tif 000005
【図４】
0003118106.tif 000006
【図５】
0003118106.tif 000007
【図６】
0003118106.tif 000008
【図７】
0003118106.tif 000009
【図８】
0003118106.tif 000010
【図９】
0003118106.tif 000011
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
髪の毛に装着するエクステンションであるが、人工毛乃至人毛を円形状の内孔のあるチップの下部内側全体に装着させたものに、上部がリング状ビニールで、その下方元がプラスチックの小さな摘みになっているガイドを組合わせ、そのガイドのリング部分を、チップ下方円形内孔から上方に挿通させ、そのリング状ガイド内に自毛を挿入し、リング下方にあるプラスチック摘みを下に引くことにより髪の毛がチップ上部内孔に入り下方に挿出して、そのチップを圧縮固定させることにより装着出来るエクステンション。
(57)【要約】      （修正有）【課題】ソフトボールを打つスティックがボールに密着した瞬間、歓喜と共に吊り上げて次のゲートを通過出来る。高齢者や病弱者も何時でも何処ででも直ぐに出来る健康スポーツ遊具を提供する【解決手段】ソフトボールの一部に金属板をつけ、スティックの胴部左右の側面中央部に大小のマグネット各１を取りつける。【選択図】図１
0003118101.tif 000002
【実用新案登録請求の範囲】
【請求項１】
本案はボールとこれを打つステイツクは時には密着して其の儘移動も出来る事を特徴とするスポーツ遊具
【考案の詳細な説明】
【技術文野】
【０００１】本考案はソフトボールに金属片をつけステイツクにマグネツトをつけたスポーツ遊具に関するものである
【背景技術】
【０００２】従来球で行うスポーツ用具は  総て打つ事を目的とした  其のスポーツは一部の特殊施設を除き殆ど野外の用地を必要とし  高額の施設費をかけて其の専用地とした  又其所で行うスポーツは競技人員は限定され資格のある審判員の指示に遵い  高価な用具で特殊の気象を除いては  炎暑寒気に関係なく実施されるので体力も大いに要求された
現在全国老人クラブの代表的スポーツのトップはゲートボールであるが前述の事項を含み競技ルールを熟知する必要か有り  勉強と実地訓練が相当の期間を要しても常に数多い敵方と味方の球を其の時々に状態を察知して自分の球を何処にとばすが良いかを定める敏速さを強く要求された  このような事が老令者に大きく影響する事があった
【考案の開示】
【考案が解決しようとす課題】
【０００３】球を打たなくてもステイツクにボールが密着した場合次に進む  又は採点の対照になる
【課題を解決する手段】
【０００４】ソフトボールの一部に小さな  金属片をつけ一方ステイツクは球を密着したまま  次のゲートを通過出来る力のマグネツトをつけた遊具であるが中は空洞  大鼓式で軽いもの  この両者の取りつけに留意する事は容易に密着しないから  偶然密着した歓喜を与えるために、ボールにつける金属片は成るべく小さく軽い事  これは重い鉄片をつけると  其の位置は球が静止した時は接地点は常に最下部でマグネツトは効果ない
一方ステイツクにつけるマグネツトは胴部側面の中央部とし  密着の効力あれば其の最小のマグネツト面とし  反発側の側面には密着部の少し大きなマグネツトを取りつける
【考案の効果】
【０００５】本案のボールとステイツクがあれば  競技用地も特別に必要なく  空地でも既存の建物でもよい  ゲートも空き缶  空きビン等有り合はせのものを利用し経費も僅少  競技人員も制限なく  二人以上の偶数人員なら  其の場所に応じた方法とルールで審判員も必要としないので  参加者で話し合い其の場で決められる  故に高令者や病弱者で運動を避けている人  ゲートホール  ジヤンボゲートボールで  ゲート通過の不得手な人にもペツタン密着の歓喜を与え  スポツに趣味を持つ事で健康増進と気力を高揚する
【考案を実施するための最良の形態】
【０００６】室内で一人歩きのみ出来る高令者や  病弱者でも小室の畳の上でも一人で打ちペツタンの楽しみが出来る  ボールは柔かなので  ガラスやふすま等に当っても損傷しない  気分転換のためにもゆっくり静かに自分の体力を考え乍ら出来る運動とお楽しみには最適な遊具である
【実施例１】
【０００７】競技場が広い場合は  ゲートボールに準じたゲートを３か４個迄位にする事もよい
狭い場所て行う時は  ジヤンボゲートボール方式に準じゲートを一ケ所とすれば交代で何人でも出来る
参加者の打つ能力に依りゲートは何れの場合も広くも狭くも出来る
以上の事を色々組み合はせも面白い
微風の時はボールが動いてスリルが有るが強い風の場合は野外は無理
高令者や初心者は大きなマグネツ側を使用するとよい
【産業上の利用可能性】
【０００８】本案は楽しみ乍ら  知らず知らず  体を動かす事の健康は家庭  社会大きくは国の医療費節減の為に幾分の寄与する端緒になる
老令者病弱者は勿論  健康な老人でも俺は年だからと何もせず  体を御大事の言葉を誤解している人  又孤独的で友達の無い人には同じ趣味が会話の始まりとなり更に多くの人達との談笑ともなる
現代の実態を見た時驚く  年内には何人も入院患者の御見舞に病院に行くが何処の病院も待合室に患者の多い事  又老人クラブの旅行に行った時  薬を持参して飲用する者  或る時参加者の３分の２強で  高血圧、糖尿が大部分で薬はもたないが腰痛関接痛である事を聴取した  この実態は当地方のみではなく  若干の数は異なつても  全国的な一縮図とも思はれる  この老人会の人達の殆どが  良い事と知り乍ら摂生もせず  運動もせず  実行する勇気の欠如が大きな原因である事も判明した
私の健康法
本年３月で８２才  今我が家の農業主任特殊の事以外  若者にも負けず  老人検診には院長先生よりも讃められてるが  私は現在市販されている電気や磁器其の他の健康にと称する機器は一切使用しない  摂生は勿論守り
朝と就寝前に私の考案した体操を１５分位何十年も毎日実施し其の中に  これも自作の按摩を若干加えている  この体を動かす事が私の健康を保持していると信じ経費も僅か己れの勇気と努力で出来る健康法を多くの方々に推奨するもの
【図面の簡単な説明】
【０００９】
【図１】ステイツク斜視図
【図２】ソフトボール斜視図
【図３】ステイツク平面図
【符号の説明】
【００１０】１Ｍ    ステイツク胴部４の側面の小マグネツト
２Ｍ    ステイツク胴部４の側面に１Ｍより大マグネツト
３Ｋ    ソフトボールに取りつけた金属片
４      ステイツクの胴部
５      ４の一側面
６      ５の反対側面
７      ４とステイツク柄との結合部
８      ステイツク柄の握り部
９Ｓ    １Ｍの表示
１０Ｌ  ２Ｍの表示
【図１】
0003118101.tif 000003
【図２】
0003118101.tif 000004
【図３】
0003118101.tif 000005
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
本案は軽い球の表面の一部に軽金属の小片を取りつけるこの球の直経とほぼ同じ位の太さのステツクの両側面にマグネツトを取りつけたスポーツ遊具
【手続補正書】
【提出日】平成17年10月5日(2005.10.5)
【手続補正１】
【補正対象書類名】実用新案登録請求の範囲
【補正対象項目名】全文
【補正方法】変更
【補正の内容】
【実用新案登録請求の範囲】
【請求項１】
本案は軽い球の表面の一部に軽金属の小片を取りつけた球と、両側面の片側に大、反対側面に小さなマグネツトを取りつけた、前記球とほぼ同じ位の直軽の、ステイツクからなるスポーツ遊具である
(57)【要約】      （修正有）【課題】浴水は浴槽に直に入れて使用することもできますが、足風呂浴水袋に浴水を入れ、この袋ごと浴水容器または浴槽に入れて使用することができる自動湯沸かし温度調整装置と浴水容器浴水袋付きの足風呂浴槽の提供。【解決手段】移動用車止め付き車を付けた自動湯沸かし温度調整装置付き足風呂浴槽と足湯浴水用容器、足湯浴水用袋１、踏み板を組み合わせた浴水容器浴水袋付き足風呂浴槽。【選択図】図２
0003118136.tif 000002
【実用新案登録請求の範囲】
【請求項１】
移動用車止め付き車を付けた自動湯沸かし温度調整装置付き足風呂浴槽と足湯浴水用容器、足湯浴水用袋、踏み板、を組み合わせた浴水容器浴水袋付き足風呂浴槽。
【請求項２】
請求項１を腰掛やテーブルなどの家具と一体にした型、家具セット用ユニット型、単独使用型、浴槽深さ調整型、手持ち移動型、複数人用回流型の浴水容器浴水袋付き足風呂浴槽。
【請求項３】
請求項１の足湯風呂浴水に、温泉の素、薬草や薬剤、香料などの組み合わせ使用と、浴水注入用ホース付け外し装置をほどこした浴水容器浴水袋付き足風呂浴槽。
【考案の詳細な説明】
【技術分野】
【０００１】  本案は、家庭内で足湯温泉に入りたいとの願望による考案です。温度調整付きの自動湯沸かしができる電気足風呂浴槽を制作します。この足風呂の浴水は浴槽に直に入れて使用することもできますが、本案は足風呂浴水袋を考案、この袋に浴水を入れ、この袋ごと浴水容器または浴槽に入れて使用することができるものです。
この足風呂浴水袋と浴水容器の考案により、給水・廃水が浴槽を持ち歩く必要なく便利になりました。なお浴槽の清掃も毎回行う必要がく効果を上げています。
【背景技術】
【０００２】  従来、足風呂が健康に役立つことは知られていましたが、営利事業では成り立たないと思われていたのでしょう。そのためか市街地には「足風呂浴場」などありませんし、温泉地でも「足湯温泉旅館」などは見られません。
ましてや、住宅の和洋室用の自動湯沸かし方式の足風呂浴槽などはありません。
【考案が解決しようとする課題】
【０００３】  従来の技術で述べましたが、温泉は万病を癒やし健康に良いと言われ、足湯・足入浴が保健に優れた効果をあげることは知られるところです。課題は、その温泉や入浴を住宅で、如何に容易に、健康的、経済的、多回数楽しくできるようにするかです。
【考案が解決するための手段】
【０００４】第一は、自宅で温泉の湯に衣服を着たままで簡単に入れる、足湯風呂浴槽を製作し、高齢者でも容易に安い費用で入浴したい、の願望をかなえ課題を解決します。
第二は、足湯風呂浴槽が一般住宅の何処にでも移動入浴できる課題で、浴槽に車を付け容易に移動でき、さらに浴水だけを手提げ移動できる浴水容器がセットでき給排水ができるようにしました。
【０００５】第三に、如何に容易に多回数入浴できるようにするかでは、給廃水の容易さで給水ホースを廃水には浴槽内に「浴水袋」の装着装置を付け浴水袋のなかで足湯をし、このことにより、廃水は浴水袋で行うことができ「足風呂槽」の清掃が省け、容易に移動でき給排水ができるので、多回数清潔に楽しく入浴できます。
【０００６】第四は、温泉効果や雰囲気を得たい。保健、水虫退治など治療効果を自宅で得たいの課題は「浴水袋」を使用し温泉の素、薬草、薬剤、香料など浴水に自由に入れて使用で、浴水袋は一人一回限りの使い捨ての安価な物なので、水虫などが他人から感染するなどの心配もなく、衛生上の効果も上げられ課題を解決しています。
第五は、毎日風呂に入りたい。自宅で容易にして楽しく入浴したい。の課題です。
前記のごとく「足湯風呂浴槽」の考案により、足湯風呂と全身浴風呂を組み合わせて使用することができるので、これにより毎日足湯か全身浴かに入浴でき、経済的にも効果が上げられます。
また、楽しく入浴したいの課題は、便利なユニット型足風呂浴槽なので、既存の食卓やティブルにセットすれば、お茶や酒、食事しながら、テレビを見ながらでも足湯に入浴でき、楽しく心身を癒やし健康を増進し課題を解決しています。
【考案を実施するための最良の形態】
【０００７】  考案の実施の形態を図面によりご説明します。
図１．は「足湯風呂浴槽」全体の説明見取り図の一例です。
（１）本体の浴槽部。（２）湯沸かし運転ボタン。（３）温度調整ボタン。（４）湯沸かし装置の格納部。（５）コンセント。（６）移動用車。で、方向自由ストップ付きです。（７）給水ホースセット具。（８）足湯槽の取っ手。（９）湯槽引き延ばし枠。で、この枠を引き上げて湯槽の深さを調節します。
図２から図５は、図１の（１）本体の浴槽部にセットして使用する部品の説明図です。
図２▲１▼浴水器の本体。で、図１の（１）本体の浴槽部の中に入れて使用します。▲２▼浴水容器の取っ手。▲３▼取っ手装着部。で、取っ手は浴水容器の内側に付け、取っ手を下に押し掛けボタンに合わせて、容易に取り外しができます。
図３▲１▼浴水袋の本体。▲２▼浴水袋閉口紐。で、紐を引いて閉口します。閉口後はこの紐を持って移動できるので水漏れの心配がありません。
図４▲１▼踏み板。▲２▼通水用穴。▲３▼足裏刺激用突起。で、踏み板は無数に穴を明けて、浴水の循環を、また足裏刺激突起を無数に付けて入浴効果を上げます。
図５▲１▼給水ホース。▲２▼給水口。▲３▼給水ホース取り付け紐。
【考案の効果】
【０００８】  本考案は上述のとおりであります。
【０００９】  足湯風呂浴槽の効果は、自由に持ち運びができる小型にしたこと。小型化により電源があれば、住宅のどの部屋でもいつでも入浴できる夢をかなえたことです。
また、住宅だけでなく飲食業のサービスや美容や理容店などでの活用ができ、保健や治療などにも活用でき、まだまだ足湯風呂の用途の範囲は拡大するものと期待できます。足湯風呂浴槽の考案は、構造上機能上大きな効果をあげています。
【図面の簡単な説明】
【００１０】
【図１】「足湯風呂浴槽」全体の説明見取り図の一例です。
【図２】から図５は、図１の（１）本体の浴槽部にセットして使用する部品の見取り説明図です。
【符号の説明】
図１  （１）本体の浴槽部。
（２）湯沸かし運転ボタン。
（３）温度調整ボタン。
（４）湯沸かし装置の格納部。
（５）コンセント
（６）移動用車。給水ホース取り付け具。
（７）給水ホース取り付け具。
（８）足湯槽の取っ手。
（９）足湯槽の引き延ばし枠。
図２  ▲１▼浴水容器の本体。  ▲２▼浴水容器の取っ手。  ▲３▼取っ手装着部。
図３  ▲１▼浴水袋の本体。    ▲２▼浴水袋の閉口紐。
図４  ▲１▼踏み板。          ▲２▼通水用穴。
図５  ▲１▼給水用ホース。    ▲２▼給水口。  ▲３▼給水ホース取り付け紐。
【図１】
0003118136.tif 000003
【図２】
0003118136.tif 000004
【図３】
0003118136.tif 000005
【図４】
0003118136.tif 000006
【図５】
0003118136.tif 000007
(57)【要約】      （修正有）【課題】作業者が楽に持ち運びでき、立ち木などの適当なものに固定して使用できるようにしたウインチの提供。【解決手段】本考案では、燃料タンク１を付設した原動機２の出力軸側に取付脚部３を設けた減速機４を取り付けて原動機２の出力軸回転を減速機４の出力軸５に減速伝動し、この減速機４の出力軸５に巻胴６を取り付けて持ち運び可能な携帯ウインチに構成とした。【選択図】図１
0003118139.tif 000002
【実用新案登録請求の範囲】
【請求項１】
燃料タンク（１）を付設した原動機（２）の出力軸側に取付脚部（３）を設けた減速機（４）を取り付けて原動機（２）の出力軸回転を減速機（４）の出力軸（５）に減速伝動し、この減速機（４）の出力軸（５）に巻胴（６）を取り付けて持ち運び可能にした携帯ウインチ。
【請求項２】
取付脚部（３）に台（７）を取付け、この台（７）に原動機（２）の後部がら上部を覆うようにループして端部に運搬用把持部（８）を形成した扞状体（９）を設けてなる請求項１に記載の携帯ウインチ。
【考案の詳細な説明】
【技術分野】
【０００１】  本考案は、持ち運びが容易な携帯型ウインチに関する。
【背景技術】
【０００２】  ウインチは、重量物の引き上げや漁船での網の引き込みなどに使われる。このウインチは一般的に車や船に固定して使用されている。
移動式のウインチもあるが、その駆動部にはモータが使用され、移動範囲は電源ケーブルのとどく範囲で限られている。その公知例が特開平１１−１２４２９６号公報に記載されている。
【特許文献１】特開平１１−１２４２９６号公報
【考案の開示】
【考案が解決しようとする課題】
【０００３】
【０００４】  従来のウインチは、車や船に固定されていたので、使用場所が限定されていた。
そこで、本考案では、作業者が手軽に持ち運びでき、牽引作業現場で立ち木などの適当な固定物に取り付けて使用できるようにすることを課題とする。
【課題を解決するための手段】
【０００５】  本考案は、燃料タンク１を付設した原動機２の出力軸側に取付脚部３を設けた減速機４を取り付けて原動機２の出力軸回転を減速機４の出力軸５に減速伝動し、この減速機４の出力軸５に巻胴６を取り付けて持ち運び可能な携帯ウインチに構成とした。【０００６】  また、この携帯ウインチの取付脚部３に台７を取付け、この台７に原動機２の後部から上部を覆うようにループして端部に運搬用把持部８を形成した扞状体９を設けた。
【考案の効果】
【０００７】  本考案は、燃料タンク１を付設した原動機２の出力軸側に取付脚部３を設けた減速機４を取り付けて原動機２の出力軸回転を減速機４の出力軸５に減速伝動し、この減速機４の出力軸５に巻胴６を取り付けて持ち運び可能な携帯ウインチに構成したので、巻胴６を回転駆動する動力源として燃料タンク１を付設した原動機２を使用して他の動力源を必要とせず、取付脚部３を立ち木等の適当な固定物に取り付けることで場所を選ばず直ちに使用することが可能で、山での倒木の移動や田畑での収穫物の移動或いは地震災害地での破損建物片の移動撤去等に手軽に利用できる。【０００８】  また、この携帯ウインチの取付脚部３に台７を取付け、この台７に原動機２の後部から上部を覆うようにループして端部に運搬用把持部８を形成した扞状体９を設けることで、扞状体９が破損し易い原動機２を保護し、把持部８を持って片手で容易に持ち運びが出来る。
【実施例】
【０００９】  次に、本発明の一実施例を示す図面を参照しながら説明する。
図１は、本考案のウインチを示すもので、原動機２は、刈り払い機に使用される軽量な小型原動機で、３６０℃傾けたり逆さまにしても使用できるもので、燃料タンク１を一体的に組みつけている。また、この原動機２には、機体後部にロープ式スタータ（図示省略）やスロットルレバー（図示省略）を組み付けている。【００１０】  原動機２の出力軸には減速機４を取り付け、出力軸の回転を約１／１００程度に減速して軸トルクを強くしている。この減速機４の取付け脚部３は、直接立ち木等の適宜の場所へ固定できるように４箇所の孔を設けている。実施例では取付け脚部３に板状の台（７）をボルト（１０）で取り付けている。【００１１】  この台（７）には、左右両端にパイプ状の扞状体９を溶接によって取り付けている。扞状体９は、原動機２の後側を通って上部で前方へ曲げて、左右を合わせて運搬用把持部８に形成している。１１，１２は、パイプの端部を包むキャップである。台７の左右上面には固定用のロープをかける枠扞１３を突出している。この枠扞１３は、台７の四隅に設けるリング状の引っ掛け輪であっても良い。【００１２】  図示の実施例では、減速機５の脚部４を台７にボルト１０で固定し、この台７に設けた枠扞１３にロープを巻き掛けて固定するようにしている。【００１３】  減速機４の出力軸５には巻胴６を固定している。図示の巻胴６のロープ巻き架け部１４は弧状であるが、ストレートであっても良い。【００１４】  図２は、上記構成のウインチを立ち木１５へロープ１６で巻き掛けて固定した状態を示すもので、牽引対象物へ取り付けたロープ１７を巻胴７へ２、３回巻き付けて、ロープ１７の端を作業者が引っ張ることで巻胴７の回転力がロープ１７に伝わり、牽引対象物を軽く引っ張れるようになる。
【図面の簡単な説明】
【００１５】
【図１】本考案の実施例における全体斜視図である。
【図２】本考案の実施例におけ使用状態説明図である。
【符号の説明】
【００１６】１  燃料タンク
２  原動機
３  脚部
４  減速機
５  出力軸
６  巻胴
７  台
８  運搬用把持部
９  扞状体
【図１】
0003118139.tif 000003
【図２】
0003118139.tif 000004
(57)【要約】【目的】  草刈機のレシプロ型刈刃装置において、草刈機動力部の駆動軸及び操作桿を取り付ける３操作桿取付部材の中心線（２カサ歯車部材の中心線）Ｘと１０レシプロ刈刃駆動軸の中心線Ｙをほぼ一致させて、草刈り作業の不都合を解消することを目的とする。【構成】  １駆動軸接続部材をネジで固着した２カサ歯車部材と５カサ歯車部材を噛み合わせる。５カサ歯車部材と６平歯車部材とを連結し、６平歯車部材を７平歯車部材と噛み合わせる。さらに、７平歯車部材と８カサ歯車部材とを連結し、８カサ歯車部材を９カサ歯車部材と噛み合わせる。９カサ歯車部材には１１，１２偏心カムを固着した１０レシプロ刈刃駆動軸がネジで固着されている。【選択図】  図２
0003118133.tif 000002
【実用新案登録請求の範囲】
【請求項１】
草刈機のレシプロ型刈刃装置において、草刈機動力部の駆動軸及び操作桿を取り付ける３操作桿取付部材の中心線（２カサ歯車部材の中心線）Ｘと１０レシプロ刈刃駆動軸の中心線Ｙをほぼ一致させるために、駆動歯車列を２カサ歯車部材−５カサ歯車部材−６平歯車部材−７平歯車部材−８カサ歯車部材−９カサ歯車部材−１０レシプロ刈刃駆動軸の順に組み合わせて、それぞれ噛み合わせ駆動するように構成したレシプロ型刈刃装置。
【考案の詳細な説明】
【考案の詳細な説明】
【産業上の利用分野】
本考案は田んぼの畦や用水路等の雑草、芝の刈り込み、等に使用されるレシプロ型刈刃装置に関する。
【背景技術】  従来、図３で示した通り、草刈機動力部の駆動軸を取り付ける中心線Ｔとレシプロ型刈刃装置のレシプロ刈刃駆動軸中心線Ｗが大きくズレていた。
【考案が解決しようとする課題】
前述の従来型レシプロ型刈刃装置では、草刈機動力部の駆動軸取り付け中心線とレシプロ型刈刃装置のレシプロ刈刃駆動軸の中心線が大きくズレる歯車列の組み合わせであったため、草刈機の軸心とレシプロ型刈刃装置のレシプロ刈刃の軸心がズレた草刈り作業となり、左右バランス良くスイング出来ない不都合が生じる欠点があった。
【課題を解決するための手段】
本考案では、前記の課題を解決するために、図２に示す歯車列にして、草刈機動力部の駆動軸及び操作桿の中心線、即ち、草刈機動力部の駆動軸及び操作桿を取り付けるレシプロ型刈刃装置の３操作桿取付部材の中心線（２カサ歯車部材の中心線）Ｘとレシプロ型刈刃装置のレシプロ刈刃駆動軸中心線Ｙとをほぼ一致させて、従来の草刈り作業の不都合を解消する。
【実施例】  本考案の一実施例を図面に基ずき詳細に説明する。図１及び図２で示した通り、Ａは本考案のレシプロ型刈刃装置の外観で、３は草刈機の駆動軸及び操作桿を接続するための操作桿取付部材で草刈機動力部（図示せず）と接続する。
３操作桿取付部材と４レシプロ刈刃装置本体とは回動自在になっており、刈刃の角度を適宜に変えることにより、草刈り作業を楽な姿勢で出来るように構成されている。
１駆動軸接続部材をネジで固着した２カサ歯車部材と５カサ歯車部材を噛み合わせる。５カサ歯車部材と６平歯車部材とを連結（一体でも可）し、６平歯車部材を７平歯車部材と噛み合わせる。さらに、７平歯車部材と８カサ歯車部材とを連結（一体でも可）し、８カサ歯車部材を９カサ歯車部材と噛み合わせる。９カサ歯車部材には１１、１２偏心カムを固着（一体でも可）した１０レシプロ刈刃駆動軸がネジで固着されている。
上例の作用について説明すると、草刈機動力部（図示せず）からの動力を１駆動軸接続部材が受け、２カサ歯車部材は回転駆動する。２カサ歯車部材の回転力を、５カサ歯車部材、６平歯車部材、７平歯車部材、８カサ歯車部材、９カサ歯車部材に順次伝達させる。さらに、９カサ歯車部材には１０レシプロ刈刃駆動をネジで固着し、１０レシプロ刈刃駆動に固着した１１、１２偏心カムに回転力が伝達される。以降は詳細な説明図を図示していないが、本考案のレシプロ型刈刃装置は１１、１２偏心カムから往復部材を介して１３、１４レシプロ刈刃を往復駆動するように構成されている。なお、１０レシプロ刈刃駆動軸心と１３、１４レシプロ刈刃の軸心は一致させるように構成されている。
【考案の効果】
本考案によると、草刈機動力部の駆動軸及び操作桿を取り付ける３操作桿取付部材の中心線（２カサ歯車部材の中心線）Ｘとレシプロ型刈刃装置の１０レシプロ刈刃駆動軸中心線Ｙをほぼ一致させることが可能になる。この結果、左右にスイングしながら行なう草刈り作業に必要な、草刈機の軸心とレシプロ型刈刃装置のレシプロ刈刃の軸心がほぼ一直線となり、左右バランス良くスイングしながら草刈り作業が出来るようになり、従来技術の、草刈機の軸心とレシプロ型刈刃装置のレシプロ刈刃の軸心がズレた、即ち、左右アンバランスな草刈機による草刈り作業の不都合を解消したレシプロ型刈刃装置となる効果がある。
【図面の簡単な説明】
【図１】    本考案を内臓したレシプロ型刈刃装置の側面図
【図２】    図１のＭ−Ｎ矢線における平面図
【図３】    本考案と比較した従来型の部分断面図
【符号の説明】
１    駆動軸接続部材
２    カサ歯車部材
３    操作桿取付部材
４    レシプロ刈刃装置本体
５    カサ歯車部材
６    平歯車部材
７    平歯車部材
８    カサ歯車部材
９    カサ歯車部材
１０    レシプロ刈刃駆動軸
１１    偏心カム
１２    偏心カム
１３    レシプロ刈刃
１４    レシプロ刈刃
Ｘ    草刈機動力部の駆動軸及び操作桿を取り付ける３操作桿取付部材の中心線（２カサ歯車部材の中心線）
Ｙ    １０レシプロ刈刃駆動軸の中心線
【図１】
0003118133.tif 000003
【図２】
0003118133.tif 000004
【図３】
0003118133.tif 000005
(57)【要約】【課題】  本考案は、一般音響機器に誰でも簡単に接続でき、周囲の騒音下や難聴の方が確実に音を認識でき、製造コストの低減化を図ることを課題としている。【解決手段】  本考案は、製造コストを低減するために振動ケース部、ジョイント部の金型を相対設計することによって左右に兼用できる構造とし、左右アーム部、ネック式ヘッドバンドから成る構造とし、アームの頭頂部にメガネツル用のメガネ溝を設けた。骨伝導ヘッドフォンを装着した後、メガネのツルをメガネ溝に乗っけることでメガネがずれ難く装着できる。また、ネック式ヘッドバンドは、ジョイント部の取り付け箇所から角度をつけることにより、衣服の襟に触らないようにした。振動ケース部とアーム部は、勘合したとき振動ケースの人体部位に当たる面が、より人体部位に接触するよう人体部位側に若干稼動する機能を振動ケースとアームに持たしたことにより、長時間使用時でも人体部位に負担がかからないことを特徴としている。【選択図】  図５
0003118131.tif 000002
【実用新案登録請求の範囲】
【請求項１】
本考案の骨伝導ヘッドフォンは、製造コストを低減するために振動ケース部、ジョイント部の金型を相対設計することによって左右に兼用できる構造とし、左右アーム部、ネック式ヘッドバンドから成る骨伝導ヘッドフォン。
【請求項２】
前記アームの頭頂部にメガネツル用のメガネ溝を設け、骨伝導ヘッドフォンを装着した後メガネのツルを当該溝に乗っけることでメガネがずれ難く装着できことを特徴とした請求項１に記載の骨伝導ヘッドフォン。
【請求項３】
前記ネック式ヘッドバンドは、ジョイント部の取り付け箇所から角度をつけることにより、衣服の襟に触らないことを特徴とした請求項１に記載の骨伝導ヘッドフォン。
【請求項４】
前記振動ケース部とアーム部を勘合したとき振動ケースの人体部位に当たる面が、より人体部位に接触するよう人体部位内側に若干稼動する機能を振動ケースとアームに持たしたことを特徴とした請求項１に記載の骨伝導ヘッドフォン。
【考案の詳細な説明】
【技術分野】
【０００１】  本考案は、一般音響機器に接続するヘッドフォンとイヤフォンに係わり、ヘッドフォンのスピーカ部に骨導スピーカユニットを採用することにより、周囲の騒音下や難聴の方が確実に音を認識できることを目的にした骨伝導ヘッドフォンに関するものである。
【背景技術】
【０００２】  従来型のヘッドフォンまたはイヤフォンの伝達経路は、外耳道を経て鼓膜を振動させ蝸牛で電気信号に変え脳に伝える方式である。【０００３】  この方式は、鼓膜を振動させて音を認識する気導音伝達ため、周囲の騒音下や難聴の方が確実に音を認識することが非常に困難である。
【考案の開示】
【考案が解決しようとする課題】
【０００４】  本考案は、一般音響機器に誰でも簡単に接続でき、周囲の騒音下や難聴の方が確実に音を認識でき、製造コストの低減化を図ることを課題としている。
【課題を解決するための手段】
【０００５】  本考案は、製造コストを低減するために振動ケース部、ジョイント部の金型を相対設計することによって左右に兼用できる構造とし、左右アーム部、ネック式ヘッドバンドから成る構造を特徴としている。【０００６】  本考案は、アームの頭頂部にメガネツル用のメガネ溝を設け、骨伝導ヘッドフォンを装着した後、メガネのツルをメガネ溝に乗っけることでメガネがずれ難く装着できることを特徴としている。【０００７】  本考案のネック式ヘッドバンドは、ジョイント部の取り付け箇所から角度をつけることにより、衣服の襟に触らないことを特徴としている。【０００８】  本考案の振動ケース部とアーム部は、勘合したとき振動ケースの人体部位に当たる面が、より人体部位に接触するよう人体部位側に若干稼動する機能を振動ケースとアームに持たしたことにより、長時間使用時でも人体部位に負担がかからないことを特徴としている。
【考案の効果】
【０００９】  このように、本考案の骨伝導ヘッドフォンは、使用者の操作性を大幅に改善し、周囲の騒音下や難聴の方が確実に音を認識できることが可能となる。
【考案を実施するための最良の形態】
【００１０】  本考案の実施の形態を添付図面に基づいて説明する。図１は、本考案に係わる骨伝導ヘッドフォン本体の上面図である。非磁性体の金属部材、プラスチック、ゴム等でできた振動ケース部１、アーム部２、ジョイントケース部３、ネック式ヘッドバンド部４、アーム部２のメガネ溝５、カールコード引き出し穴６、マイクフタ７を配した構造になっている。【００１１】  図２は、本考案に係わる骨伝導ヘッドフォン本体の側面図である。振動ケース１は、接合と接着した構造になっている。ジョイント部３の下側にはマイクフタ７を取り外して、付加装置マイクユニットが取り付けられる構造になっている。【００１２】  図３は本考案に係わるアーム２のメガネ溝５で、メガネのツルをメガネ溝５に乗っけることでメガネがずれ難く装着できる構造になっている。【００１３】  図４は、本考案に係わるジョイント部３とネック式ヘッドバンド４で、ジョイント部３の取り付け箇所から角度をつけることにより、衣服の襟に触らない構造になっている。【００１４】  図５は、当該骨伝導ヘッドフォンを人体部位に取り付けた実地予想図である。
【図面の簡単な説明】
【００１５】
【図１】  本考案の骨伝導ヘッドフォン本体の上面図である。
【図２】  本考案の骨伝導ヘッドフォン本体の側面図である。
【図３】  本考案のメガネ溝の拡大図である。
【図４】  本考案のジョイント部とネック式ヘッドバンドの拡大図である。
【図５】  本考案の人体部位に取り付けた実地予想図である。
【符号の説明】
【００１６】    １  振動ケース部
２  アーム部
３  ジョイントケース部
４  ネック式ヘッドバンド部
５  メガネ溝
６  信号コード引き出し穴
７  マイクフタ
８  骨伝導ヘッドフォン
【図１】
0003118131.tif 000003
【図２】
0003118131.tif 000004
【図３】
0003118131.tif 000005
【図４】
0003118131.tif 000006
【図５】
0003118131.tif 000007
(57)【要約】      （修正有）【課題】施術者が異なっても、ツボに一定の刺激量、刺激強度を与えることができる健康器具を提供する。【解決手段】細い円柱状体で形成された回転式ツボ押し鍼健康器具Ａにおいて、前記器具の表面に取り付けられた凸状螺旋部Ｂ、又は凹状螺旋部Ｅを利用し、前記器具長手方向の一方の突起部Ｃで、ツボａに圧迫・回転摩擦刺激を与える構成の健康器具をＡとする。【選択図】図３
0003118138.tif 000002
【実用新案登録請求の範囲】
【請求項１】
金属、プラスチックのいずれか一つを素材とする細い円柱状体で形成された本体と、前記本体の表面に取り付けられた凸状の螺旋、又は凹状の螺旋を有する螺旋部と、前記本体長手方向の一方は円錐形で突起状とすることを特徴とする回転式ツボ押し鍼健康器具。
【請求項２】
前記凸状の螺旋部、又は凹状の螺旋部によって、本体を手動で回転させることができる請求項１の回転式ツボ押し鍼健康器具。
【請求項３】
前記凸状の螺旋部、又は凹状の螺旋部の螺旋の角度は、およそ５０度とし、回転数が多く取れ、回転しやすいとする請求項１の回転式ツボ押し鍼健康器具。
【請求項４】
前記本体長手方向の一方の円錐形で、突起状とする先端の直径は、およそ０．５ｍｍで皮膚を傷つけず、体表への摩擦抵抗を少なくして回転しやすいとする請求項１の回転式ツボ押し鍼健康器具。
【考案の詳細な説明】
【技術分野】
【０００１】  本考案は、ツボ刺激療法により、身体の機能改善を図る健康器具に関し、皮膚に圧迫・回転摩擦刺激することによってツボ刺激治療を行う健康器具に関する。
【背景技術】
【０００２】  周知のように、ツボ療法は中国を含む東アジアにおける長い歴史によって体系づけられている。人体に３６５個以上あるとされるツボを選択的に刺激して、そのツボに関連する器官の機能改善および患部の痛みを緩和する。そのツボ刺激の代表的な方法としては、指圧、マッサージ、灸、鍼などがある。そして鍼は大きく分けて体内に刺
0003118138.tif 000003
）がある。一般にもツボを押す棒状の健康器具は多く見受ける。
【考案の開示】
【考案が解決しようとする課題】
【０００３】
0003118138.tif 000004
治療を行うのであるが、施術者によりその刺激量や刺激強度は一定しないため、治療効果の研究や治療の均一化が難しく、安定した治療効果を出すことは困難であった。また他の施術者に刺激量や刺激強度を伝えることも難しかった。その為、誰が行っても刺激量や刺激強度が一定となる器具が望まれていた。そこで本考案は、上記の問題を解決するため、施術者が異なっても、ツボに一定の刺激量、刺激強度を与えることができる器具を提供することを目的とする。
【課題を解決するための手段】
【０００４】  上記の問題点を解決するため、本考案は、金属、プラスチックのいずれか一つを素材とする細い円柱状体で形成された本体と、前記本体の表面に取り付けられた凸状の螺旋、又は凹状の螺旋を有する螺旋部と、前記本体長手方向の一方は突起状とすることを特徴とする回転式ツボ押し鍼健康器具。
【考案の効果】
【０００５】  以上に述べたように、本考案に係る回転式ツボ押し鍼健康器具は、請求項２によれば、圧迫刺激をツボに与える際、手動で前記器具を回転させるため回転摩擦刺激を簡単に、圧迫刺激に付け加えることができる。請求項３によれば、凹凸状の螺旋により指先に前記凹凸状の螺旋がひっかかり、前記器具をツボに対して垂直に接触させ、ツボの方向に力をくわえることで、指が螺旋沿いに滑り前記器具が回転し、ツボに刺激量や刺激強度が一定である圧迫・回転摩擦刺激を与えることができる。それに加え、請求項４によれば、前記圧迫・回転摩擦刺激を与える際、皮膚を傷つけることなく、圧迫・回転摩擦刺激を皮膚に与えることができる。
【考案を実施するための最良の形態】
【０００６】  図３において、本考案を詳細に説明すると、凸状螺旋部Ｂを有する請求項１の回転式ツボ押し鍼健康器具の場合、指を凸状の螺旋と螺旋の間におき回転式ツボ押し鍼健康器具Ａを持ち、ツボａに回転式ツボ押し鍼健康器具Ａの突起状の先端Ｃをあて、ツボａ方向に力を加え、指を凸状螺旋部Ｂに引っ掛けるようにして、ツボａ方向に滑らし回転式ツボ押し鍼健康器具Ａを回転させ、ツボａに圧迫・回転摩擦刺激と与える。また、図４において、本考案を詳細に説明すると、指を凹状螺旋部Ｅ上に置き回転式ツボ押し鍼健康器具Ａを持ち、ツボａに回転式ツボ押し鍼健康器具Ａの突起部Ｃをあて、ツボａ方向に垂直に力を加え、指が凹状螺旋部Ｅ上をツボａ方向に滑らし回転式ツボ押し鍼健康器具Ａを回転させ、ツボａに圧迫・回転摩擦刺激を与える。なお、上述の形態は本考案の好適な形態の一例ではあるがこれに限定されるものではなく、本考案の要旨を逸脱しない範囲において種々変形実施可能である。螺旋部に関係なく回転式ツボ押し鍼健康器具Ａを持ち、ツボａに突起状の先端Ｃをあて、回転を行わず、圧迫刺激のみを与えてもよい。また、回転摩擦刺激を行う際に、指で、回転抵抗を増やし、刺激量・刺激強度を変化させて使用してもよい。
【図面の簡単な説明】
【０００７】
【図１】本考案に係る回転式ツボ押し鍼健康器具において、凸状の螺旋部を有する概要構成を示す横図である。
【図２】同回転式ツボ押し鍼健康器具において、凸状の螺旋部を有する概要構成を示す断面図である。
【図３】同回転式ツボ押し鍼健康器具において、凸状の螺旋部を有する前記器具の使用例である。
【図４】同回転式ツボ押し鍼健康器具において、凹状の螺旋部を有する前記器具の使用例である。
【符号の説明】
【０００８】Ａ：請求項１の回転式ツボ押し鍼健康器具
Ｂ：請求項３の凸状螺旋部
Ｃ：請求項４の突起部
Ｄ：請求項４の長手方向反対側の端
Ｅ：請求項３の凹状螺旋部
ａ：ツボ
ｂ：身体
【図１】
0003118138.tif 000005
【図２】
0003118138.tif 000006
【図３】
0003118138.tif 000007
【図４】
0003118138.tif 000008
(57)【要約】【課題】吸引力が強い掃除機であっても、布製品の吸引を防止し、掃除を容易にすることができる掃除機用吸込み防止器具を提供する。【解決手段】四角形の網状の本体２から成っている。本体２は、掃除機の吸込み口より小さい多数の網の目３を有している。本体２は、周囲の四隅に床用固定部４を備えている。床用固定部４は、ピンまたはクリップから成る。【選択図】図１
0003118170.tif 000002
【実用新案登録請求の範囲】
【請求項１】
網状の本体を有し、前記本体は掃除機の吸込み口より小さい網の目を有し、周囲に床用固定部を備えていることを特徴とする掃除機用吸込み防止器具。
【考案の詳細な説明】
【技術分野】
【０００１】
本考案は、掃除機による布製品などの吸込みを防止するための掃除機用吸込み防止器具に関する。
【背景技術】
【０００２】
従来の掃除機用吸込み防止器具として、掃除機の吸込み口へ装着させる布地吸込み防止板が知られている（特許文献１参照）。
【０００３】
【特許文献１】特開２００３−１５３８３４号公報
【考案の開示】
【考案が解決しようとする課題】
【０００４】
しかしながら、従来の掃除機用吸込み防止器具は、吸引力が強い掃除機の場合には、布地吸込み防止板を通して布団などの布製品を吸引してしまい、掃除がしにくくなるのを防止できないという課題があった。
【０００５】
本考案は、このような従来の課題に着目してなされたもので、吸引力が強い掃除機であっても、布製品の吸引を防止し、掃除を容易にすることができる掃除機用吸込み防止器具を提供することを目的としている。
【課題を解決するための手段】
【０００６】
上記目的を達成するために、本考案に係る掃除機用吸込み防止器具は、網状の本体を有し、前記本体は掃除機の吸込み口より小さい網の目を有し、周囲に床用固定部を備えていることを特徴とする。
本体は、ナイロンなどの柔軟な素材から成ることが好ましい。床用固定部は、例えば、ピン、クリップなどにより構成することができる。
【０００７】
本考案に係る掃除機用吸込み防止器具は、掃除の前に網状の本体で布製品を覆い、床用固定部で本体の周囲を床に固定して使用する。掃除機で、網状の本体の上から布製品に付着したゴミやほこりを吸引する。布製品は、網状の本体で押えられているので、ゴミやほこりのみが掃除機の吸込み口から吸引され、吸込み口が布製品で塞がれるのを防止することができる。吸引力が強い掃除機を使用した場合にも、床用固定部で本体の周囲を床にしっかりと固定することにより、布製品の吸引を確実に防止することができる。
【考案の効果】
【０００８】
本考案によれば、吸引力が強い掃除機であっても、布製品の吸引を防止し、掃除を容易にすることができる掃除機用吸込み防止器具を提供することができる。
【考案を実施するための最良の形態】
【０００９】
以下、図面に基づき本考案の一実施例を説明する。
図１は、本考案の一実施例の掃除機用吸込み防止器具１を示している。
図１に示すように、掃除機用吸込み防止器具１は、四角形の網状の本体２から成っている。本体２は、ナイロンなどの柔軟な素材から成っている。本体２は、いかなる大きさであってもよいが、例えば、２ｍ四方の大きさから成る。本体２は、掃除機の吸込み口より小さい多数の網の目３を有している。本体２は、周囲の四隅に床用固定部４を備えている。床用固定部４は、ピンまたはクリップから成る。
次に、作用について説明する。
【００１０】
掃除機用吸込み防止器具１は、掃除の前に、網状の本体２でシーツや羽毛布団などの布製品を覆い、床用固定部４で本体２の周囲を床に固定して使用する。掃除機で、網状の本体２の上から布製品に付着したゴミやほこりを吸引する。布製品は、網状の本体２で押えられているので、ゴミやほこりのみが掃除機の吸込み口から吸引され、吸込み口が布製品で塞がれるのを防止することができる。吸引力が強い掃除機を使用した場合にも、床用固定部４で本体２の周囲を床にしっかりと固定することにより、布製品の吸引を確実に防止することができる。
【図面の簡単な説明】
【００１１】
【図１】本考案の実施の態様の掃除機用吸込み防止器具の平面図である。
【符号の説明】
【００１２】
１  掃除機用吸込み防止器具
２  本体
３  網の目
４  床用固定部
【図１】
0003118170.tif 000003
(57)【要約】【課題】  従来バストの大きい人、太った人の補整用下着の場合、和装用ブラジャー、サラシなどを使用していますが、巻きつけているために厚みが増し、長時間たつと緩み脇や肩にくい込み、苦しくなり着くずれが生じる。【解決手段】  本考案の和装用下着は、胸元の帯状７ａ７ｂを下へ引っ張り、後ろ身ごろの背中調整ベルト上段５ａ５ｂ下段６ａ６ｂを右脇下８ａに５ａ、８ｂに６ａ通して調整し押さえ帯状の７ａ７ｂを下へ引っ張り上段５ａ５ｂ、下段６ａ６ｂを図２前に固定することで厚みもなく胸元がスッキリ仕上がる。食い込みを防ぐために、前後の肩ひも部分４ａ４ｂを幅広くし斜めに取り付ける事で脇のたるみを包み込み食い込みもなくフィットし楽で綺麗に仕上がる。【選択図】  図１ 
0003118157.tif 000002
【実用新案登録請求の範囲】
【請求項１】
和装時に胸部に当てる胸当てにおいて、左右肩用の肩ひもとバストの真上部を通して、巻きつける固定ひもと、左右のバスト部に一方の端部が接する右側および左側の帯状態と、前記肩ひも、固定ひも、帯状態の端部が装着された本体部を整え、前記本体部の帯状態より外側の一方の側には、前記固定ひもを挿入可能とした穴が設けられるとともに、前記右側および左側の帯状態は、前記本体部の下端部より所定長さだけ露出していることを特徴とする和装時用胸当てである。
【考案の詳細な説明】
【技術分野】
【０００１】
この考案は、バスト部分を整え着物姿をより美しく仕上げることができるようにした和装用下着に関するものである
【背景技術】
【０００２】
従来の和装用ブラジャーやサラシの補整は時間がたつと、肩や脇にくい込んで苦しくなり着崩れが生じる。
【０００３】
【特許文献１】特開２００１−２１４３０２号公報
【考案の開示】
【考案が解決しようとする課題】
【０００４】
従来の和装用ブラジャーやサラシの補整では肩が懲り、食い込みで苦しくなり着崩れが生じる。
サラシの補整は、時間がたつとゆるみが生じ胸部に厚みが増し長時間たつと衿元が崩れやすく太った姿に写り、美しい着物姿を保つことが難しい。
【課題を解決するための手段】
【０００５】
本考案の和装用胸当ては、請求項１である。
【０００６】
ここで固定ひもを本体部の穴を介して、使用者の胴体に巻きつけることで胸当てを胴体に固定することができる。また、右側および左側の帯び状態をその帯状態の露出部分を介して、下方にひっぱることで左右のバストのふくらみを平坦にできるとともに、バストの真上部を通過する固定ひもによって、その平坦になった状態を維持し続けることができる。これにより、和装時の胸元をおさえて美しい着物姿を保つことが可能となる。
【考案の効果】
【０００７】
本考案一枚の着用だけで補整と着付けが素早くできる。
【０００８】
今までの締め付けて苦しい着物の着付けが解決され、特に太った人、バストの大きい人でも手軽に補整ができて、長時間快適で美しい着付けが保てる。
【０００９】
バストラインも着物体型に整えることで美しい胸元を維持し、着くずれの心配がなく安心して着用できる和装用下着である。
【考案を実施するための最良の形態】
【００１０】
本考案を一枚着用することで、太った人や、バストの大きい人でも小物を用いることなく、胸元をスッキリ背筋を伸ばす工夫をした和装用下着である。
【実施例】
【００１１】
以下、添付図面に従って実施例を説明する。胸元の帯状７ａ７ｂを下に引っ張ることで衿元、胸元がスッキリ仕上がる。後ろ身頃の背中調整ベルト５ａ６aの上段、下段を８ａ８ｂに通して調整する。胸元の帯状７ａ７ｂを下に引っ張り前で固定する。      
肩のくい込みを防ぐために、肩幅の部分を広くした。肩ひもを前後斜めに取り付けることで、脇元のたるみを包み込み体にフィットさせる。
【図面の簡単な説明】
【００１２】
【図１】本考案の実施例を示す全体図である。
【図２】本考案の着用時の前からの状態図である。
【図３】本考案の着用時の後ろからの状態図である。
【符号の説明】
【００１３】
１    胸押さえ表地
２    胸押さえ裏地        
３ａ  後ろ身頃左
３ｂ  後ろ身頃右
４ａ  肩ひも部分左
４ｂ  肩ひも部分右
５ａ  背中調整ベルト左上
５ｂ  背中調整ベルト右上  
６ａ  背中調整ベルト左下
６ｂ  背中調整ベルト右下
７ａ  バスト押さえ左
７ｂ  バスト押さえ右
８ａ  ベルト通し上
８ｂ  ベルト通下    
【図１】
0003118157.tif 000003
【図２】
0003118157.tif 000004
【図３】
0003118157.tif 000005